【事件の表示】
　特許第２９５６５２７号「画像メモリ機能付き映像装置」の請求項１ないし１３に係る特許に対する特許異議の申立てについて、次のとおり決定する。
【結　論】
　訂正を認める。
　特許第２９５６５２７号の請求項１ないし１１に係る特許を維持する。
【理　由】
１．手続の経緯
　特許第２９５６５２７号の発明は、平成７年４月２８日に特許出願され、平成１１年７月２３日にその特許の設定登録がなされ、その後、シャープ株式会社（以下、「申立人」という。）より特許異議の申立てがなされ、取消理由通知がなされ、その指定期間内である平成１２年１１月７日に訂正請求がなされたものである。
　
２．訂正の適否についての判断
（１）訂正の内容
（ａ）訂正事項１、２
　特許請求の範囲の請求項１、４の記載について、「次のアドレス以降になるように」とあるのを、「次のアドレス以降で且つ前記第２領域内になるように」と訂正する。
（ｂ）訂正事項３、４
　特許請求の範囲の請求項６、７を削除する。
（ｃ）訂正事項５ないし１０
　特許請求の範囲の請求項８ないし１３を、請求項６、７の削除に伴い、それぞれ請求項６ないし１１とし、「請求項１，２，３，４，５または７記載の」を「請求項１，２，３，４または５」と訂正する。
（ｄ）訂正事項１１、１２
　明細書の段落【００１１】及び【００１２】の記載について、「次のアドレス以降になるように」とあるのを、「次のアドレス以降で且つ前記第２領域内になるように」と訂正する。
　
（２）訂正の目的の適否、新規事項の有無及び拡張・変更の存否
　上記訂正事項１、２は、発明を特定する事項である「次のアドレス以降になるように」をこれに含まれる事項である「次のアドレス以降で且つ前記第２領域内になるように」に変更し、しかも、「次のアドレス以降で且つ前記第２領域内になるように」は、願書に添付された図２及び明細書の段落【００１７】の記載から当業者が直接的かつ一義的に導き出すことができる事項であり、また、上記訂正事項３ないし１０は、特許請求の範囲の請求項の削除及びそれに伴う訂正であるから、上記訂正事項１ないし１０は特許請求の範囲の減縮を目的とした明細書の訂正に該当し、また、上記訂正事項１１、１２は、上記訂正事項１、２と整合を図るものであるから、明りょうでない記載の釈明を目的とした明細書の訂正に該当し、いずれも、新規事項の追加に該当せず、実質的に特許請求の範囲を拡張又は変更するものではない。
　
（３）むすび
　したがって、上記訂正は、特許法等の一部を改正する法律（平成６年法律第１１６号。以下、「平成６年改正法」という。）付則第６条第１項の規定によりなお従前の例によるとされる、特許法第１２０条の４第３項において準用する平成６年改正法による改正前の特許法（平成５年改正法）第１２６条第１項ただし書き、及び第２項の規定に適合するので、当該訂正を認める。
　
３．特許異議の申立てについての判断
（１）申立ての理由の概要
　申立人は、訂正前の請求項１ないし１３に係る発明は、甲第１号証ないし甲第３号証に記載された発明に基づいて当業者が容易に発明をすることができたものであり、特許法第２９条第２項の規定により、特許を受けることができないものであるから、特許を取り消すべきであると主張している。
　
（２）本件の請求項１ないし１１に係る発明
　上記２．で示したように上記訂正が認められるから、本件の請求項１ないし１１に係る発明は、上記訂正に係る訂正明細書の特許請求の範囲の請求項１ないし１１に記載された事項に特定されるとおりのものである。以下に、訂正後の請求項１ないし１１を示す。
　
　【請求項１】　少なくとも２つの独立した読み出しポートを有し１フィールド分以上の画像の記憶容量を持つフィールドメモリと、前記２つの独立した読み出しポートに対応する少なくとも２つの読み出し制御部と、書き込み制御部とを備え、
　前記少なくとも２つの読み出し制御部の内の１つである第１読み出し制御部は前記フィールドメモリに記憶されている第ｎフィールドの信号の任意の領域である第１領域を読み出し、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、
　前記第ｎフィールドに引き続く第（ｎ＋１）フィールドの書き込み先頭アドレスを前記第１領域の読み出し終了アドレスの次のアドレス以降で且つ前記第２領域内になるように決定すると共に、前記第（ｎ＋１）フィールドの映像信号を前記書き込み先頭アドレスを始点として、前記フィールドメモリにリング状に書き込み、
　前記第１領域の信号を映像信号として出力することを特徴とする画像メモリ機能付き映像装置。
　【請求項２】　第１領域の信号は、電子的拡大処理を施され、第２領域の信号は、ノイズリダクション処理を施されることを特徴とする請求項１記載の画像メモリ機能付き映像装置。
　【請求項３】　第１領域の信号は、手ぶれ補正処理を施され、第２領域の信号は、ノイズリダクション処理を施されることを特徴とする請求項１記載の画像メモリ機能付き映像装置。
　【請求項４】　第１の信号処理回路と、第２の信号処理回路と、電子式拡大制御回路と、少なくとも２つの独立した読み出しポートを有し１フィールド分以上の画像の記憶容量を持つフィールドメモリと、前記２つの独立した読み出しポートに対応する少なくとも２つの読み出し制御部と、書き込み制御部とを備え、
　前記少なくとも２つの読み出し制御部の内の１つである第１読み出し制御部は、前記電子式拡大制御回路出力信号を用いて、前記フィールドメモリに記憶されている第ｎフィールドの信号の任意の領域である第１領域を読み出し、この第１領域の信号は前記第１の信号処理回路に入力され、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、この第２領域の信号は前記第２の信号処理回路に入力され、
　前記第ｎフィールドに引き続く第（ｎ十１）フィールドの書き込み先頭アドレスを前記第１領域の読み出し終了アドレスの次のアドレス以降で且つ前記第２領域内になるように決定すると共に、前記第（ｎ＋１）フィールドの映像信号を前記書き込み先頭アドレスを始点として、前記第２の信号処理回路の出力信号を前記フィールドメモリにリング状に書き込み、
　映像入力信号を第２の信号処理回路に入力し、この第２の信号処理回路は前記映像入力信号と前記第２領域の信号とを用いて巡回型のノイズリデューサを構成し、
　前記第１の信号処理回路は前記電子式拡大制御回路の出力信号を用いて前記第１領域の信号を補間処理により正規のテレビジョン信号に生成し、映像出力信号として出力することを特徴とする画像メモリ機能付き映像装置。
　【請求項５】　電子式拡大制御回路は、動き量検出回路とズーム倍率設定回路から構成され、前記動き量検出回路で検出した動き量とズーム倍率設定回路で設定されたズーム倍率とに応じて、第１読み出し制御部を制御することを特徴とする請求項４記載の画像メモリ機能付き映像装置。
　【請求項６】　フィールドメモリは、書き込みと読み出しの独立したポートを持つメモリであることを特徴とする請求項１，２，３，４または５記載の画像メモリ機能付き映像装置。
　【請求項７】　第１読み出し制御部及び第２読み出し制御部は、垂直ブランキング期間中に次フィールドの読み出し領域つまり読み出し先頭アドレス及び読み出し終了アドレスを決定することを特徴とする請求項１，２，３，４または５記　載の画像メモリ機能付き映像装置。
　【請求項８】　メモリ書き込み制御部は、垂直プランキング期間中に次フィールドの書き込み領域つまり書き込み先頭アドレスを決定することを特徴とする請求項１，２，３，４または５記載の画像メモリ機能付き映像装置。
　【請求項９】　メモリ書き込み制御部は、フィールドメモリの書き込み領域範囲を１フィールド期間の入力映像信号と略等しい領域に決定することを特徴とする請求項１，２，３，４または５記載の画像メモリ機能付き映像装置。
　【請求項１０】　第１読み出し制御部は、フィールドメモリの読み出し領域範囲を前フィールドの書き込み領域範囲内に決定することを特徴とする請求項１，２，３，４または５記載の画像メモリ機能付き映像装置。
　【請求項１１】　メモリ書き込み制御部は、第２フィールドの書き込み先頭アドレスを読み出し終了アドレスとそのアドレス以降のリング状にとらえた第１フィールドの書き込み先頭アドレス間に決定することを特徴とする請求項１，２，３，４または５記載の画像メモリ機能付き映像装置。
　
（３）引用刊行物
（ａ）刊行物１（特開平６−１１３２６０号公報、申立人が提出した甲第１号証）
　当審が通知した取消理由で引用した刊行物１には、従来の技術として、「時間軸変換あるいは時間軸変動補償と雑音低減装置に使用される画像メモリとして、３ポートメモリ装置がある。」（公報第２頁【０００２】欄）、「図４（ｂ）にはこのメモリ装置を応用し、雑音低減及び時間軸補正処理を行うことができるように構成された信号処理回路の例である。」（公報第２頁【０００４】欄）、「入力データを書き込むための第１のクロックＣＫ１は、ＶＴＲの再生信号のように時間軸の変動があるものに追随している。これに対して、読み出し制御回路３３で用いられるクロックは、非常に安定しているために、読み出されるデータも時間軸が補正されている。」（公報２頁【０００９】）、「次にメモリの総アドレス値を変えないで連続させて、メモリ数を多くした動作概念を図５（ｃ）に示す。この動作概念にもう１つの読み出し信号ＯＵＴ２を設けたのが上述した３ポートメモリ装置１０の動作原理である。」（公報３頁【００１１】）と記載されている。
　そして、図４（ｂ）には、
「２つの独立した読み出しポート（ｏｕｔｌ，ｏｕｔ２）を有し１フィールド分以上の画像の記憶容量を持つ３ポートメモリ装置（１０）と、前記２つの独立した読み出しポートに対応する２つの読み出し制御部（３２，３３）と、書き込み制御部（３１）とを備え、
　前記２つの読み出し制御部の内の１つである第１読み出し制御部（３３）は前記３ポートメモリ装置（１０）に記憶されている信号を図５（ｃ）のＯＵＴ１に示されたように読み出し、
　前記２つの読み出し制御部の内のもう１つである第２読み出し制御部（３２）は前記３ポートメモリ装置（１０）に記憶されている信号を図５（ｃ）のＯＵＴ２に示されたように読み出し、
　図５（ｃ）のＩＮに示されたように書き込み、
　前記第１読み出し制御部（３３）によって読み出された信号を映像信号として出力する画像メモリ機能付き映像装置」
が記載されている。また、図４（ｂ）には、「映像入力信号と３ポートメモリ装置（１０）からの帰還信号とを用いて雑音低減処理を行う巡回型の雑音低減（ＮＲ）回路（２４）」も記載されている。
　
（ｂ）刊行物２（特開平６−４６３１７号公報、申立人が提出した甲第２号証）（取消理由通知書では「刊行物２　特開平６−４５３１７号公報（申立人が提出した甲第２号証）」と記載したが、これは誤記であった。その結果、特許権者が提出した特許異議意見書にも「刊行物２（特開平６−４５３１７号公報）」と記載されているが、その内容からみて、特許権者は刊行物２は申立人の提出した甲第２号証（特開平６−４６３１７号公報）であると正しく認識して意見を述べたものと考えられる。）
　当審が通知した取消理由で引用した刊行物２には、「デジタル信号処理回路を備えるビデオカメラにおいて、高価なフィールドメモリを別途設けること無く巡回型ノイズリデューサを構成することにより安価に高画質を得ることができる映像信号処理回路を提供するものである。」（公報第２頁【０００５】欄）、「図１は本実施例におけるビデオカメラの映像信号処理回路の概略ブロック図を示す。・・・３は手ぶれ補正用ＩＣであり、大別してノイズリデュース回路３１、動きベクトル検出回路３２及びメモリ制御回路３３で構成される。ノイズリデュース回路３１は前記Ａ／Ｄ変換器２出力から時間軸方向に相関性のないノイズを除去するものであり、ＩＣ外部のフィールドメモリＦと共に図２のような巡回型ノイズリデューサを構成する。このノイズリデュース回路３１の乗算器の計数Ｋは０＜Ｋ＜１の範囲で後述する第１マイクロコンピュータが検出する画像の動き量に応じて制御される。３４は１０ビットのノイズリデュース回路３１出力を８ビットに圧縮して８ビットの前記フィールドメモリＦに供給する圧縮回路、３５はフィールドメモリから読み出された８ビットのデータを１０ビットに伸張して前記ノイズリデュース回路３１に供給する伸張回路である。また、このフィールドメモリＦは後述するように、電子ズーム及び手ぶれ補正に使用されるものである。しかしながら、電子ズーム及び手ぶれ補正機能を動作させているときは、ノイズリデュース回路３１の入力とフィールドメモリＦ出力とでデータの相関性が損なわれるのでノイズリディーサの動作を止める必要がある。そこで、本実施例ではノイズリディース回路３１出力と伸張回路３５出力とを選択して出力するセレクタ３７を設け、電子ズーム或いは手ぶれ補正動作時は伸張回路出力を選択すると共に前記ノイズリデュース回路のＫを１に設定して該回路の動作を停止されるよう制御する。」（公報第２頁【００１０】欄ないし３頁【００１３】欄）と記載されている。
　
（ｃ）刊行物３（特公平６−８１２７６号公報、申立人が提出した甲第３号証）
　当審が通知した取消理由で引用した刊行物３には、「１フィールド分以上の画像の記憶容量を持つフィールドメモリと、前記フィールドメモリに記憶されている第１のフィールドメモリの信号の任意の領域を読み出すメモリ読み出し制御部と、前記第１のフィールドに引き続く第２のフィールドの書き込み先頭アドレスを前記メモリ読み出し制御部が読み出す領域の読み出し終了アドレスの次のアドレス以降になるように決定すると共に前記第２のフィールドの映像信号を前記書き込み先頭アドレスを始点として、前記フィールドメモリにリング状に書き込むメモリ書き込み制御部とを具備することを特徴とする画像メモリ装置。」（公報１頁【請求項１】）、「本発明は、・・・１フィールド分のメモリで動画のリアルタイム拡大等の処理が可能な画像メモリ装置を提供することを目的とする。」（公報２頁右欄２２行ないし２４行）、「第３図は上記のようにして生成された書き込み・読み出しアドレスをグラフに示したものである。」（公報３頁左下欄下から２行ないし最下行）と記載されている。
　
（４）請求項１について
　本件の請求項１に係る発明（以下、「請求項１発明」という。）と上記刊行物１に記載された発明とを対比すると、
　両者は、
「少なくとも２つの独立した読み出しポートを有し１フィールド分以上の画像の記憶容量を持つフィールドメモリと、前記２つの独立した読み出しポートに対応する少なくとも２つの読み出し制御部と、書き込み制御部とを備えた、映像信号を出力する画像メモリ機能付き映像装置」
である点で一致しているが、
　請求項１発明は、
「前記少なくとも２つの読み出し制御部の内の１つである第１読み出し制御部は前記フィールドメモリに記憶されている第ｎフィールドの信号の任意の領域である第１領域を読み出し、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、
　前記第ｎフィールドに引き続く第（ｎ＋１）フィールドの書き込み先頭アドレスを前記第１領域の読み出し終了アドレスの次のアドレス以降で且つ前記第２領域内になるように決定すると共に、前記第（ｎ＋１）フィールドの映像信号を前記書き込み先頭アドレスを始点として、前記フィールドメモリにリング状に書き込み、」
を行うものであるのに対して、
　刊行物１に記載された発明は、
「前記２つの読み出し制御部の内の１つである第１読み出し制御部（３３）は前記３ポートメモリ装置（１０）に記憶されている信号を図５（ｃ）のＯＵＴ１に示されたように読み出し、
　前記２つの読み出し制御部の内のもう１つである第２読み出し制御部（３２）は前記３ポートメモリ装置（１０）に記憶されている信号を図５（ｃ）のＯＵＴ２に示されたように読み出し、
　図５（ｃ）のＩＮに示されたように書き込み、」
を行うものである点で相違している。
　
　そして、刊行物２には、電子ズーム及び手ぶれ補正に使用されるフィールドメモリＦをノイズリデュースのためにも使用することが記載されているが、刊行物２に記載されたものは、電子ズーム及び手ぶれ補正機能を動作させているときは、ノイズリディーサの動作を止める必要があるのであり、また、刊行物２の図１から明らかなようにフィールドメモリＦの読み出しポートは１つであり、２つの独立した読み出しポートを有するものではない。
　
　また、刊行物３には、第３図のように書き込み・読み出しを行い、リアルタイム拡大等の処理が可能な画像メモリ装置が記載されてはいるが、同時に複数の機能を実現できるものではなく、また、第１図から明らかなように、フィールドメモリの読み出しポートは１つであり、２つの独立した読み出しポートを有するものではない。
　
　これらに対して、請求項１発明は、２つの独立した読み出しポートを有するフィールドメモリを使用し、同時に複数の機能を実現することができるものである。
　
　そして、刊行物１に記載された発明は、２つの独立した読み出しポートを有した３ポートメモリ装置を用いて、時間軸変換あるいは時間軸変動補償及び雑音低減を行うものであり、２つの独立した読み出しポートを有し、且つ同時に複数の機能を実現するものではあるが、時間軸の変動のある入力データを書き込み（図５（ｃ）のＩＮ）、これに対して安定したクロックで時間軸が補正されているデータを読み出して（図５（ｃ）のＯＵＴ１）、時間軸の補正を行うものである。
　
　このような刊行物１に記載された発明に、独立した２つの読み出しポートを有しない、刊行物２の電子ズームとノイズリデュースを同時には行わない発明、及び刊行物３のリアルタイム拡大（電子ズーム）だけを行うために第３図のように書き込み・読み出しを行う発明を組み合わせることは、当業者にとって容易であったとはいえない。また、仮に、当業者が刊行物１ないし３の発明を組み合わせることを試みたとしても、請求項１発明の
「前記少なくとも２つの読み出し制御部の内の１つである第１読み出し制御部は前記フィールドメモリに記憶されている第ｎフィールドの信号の任意の領域である第１領域を読み出し、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、
　前記第ｎフィールドに引き続く第（ｎ＋１）フィールドの書き込み先頭アドレスを前記第１領域の読み出し終了アドレスの次のアドレス以降で且つ前記第２領域内になるように決定すると共に、前記第（ｎ＋１）フィールドの映像信号を前記書き込み先頭アドレスを始点として、前記フィールドメモリにリング状に書き込み、」
を行うことにより、同時に複数の機能を実現できるようにすることを、当業者が容易に想到できたとはいえない。
　
　したがって、請求項１発明は刊行物１ないし３に基づいて当業者が容易に発明できたものではない。
　
（５）請求項４について
　本件の請求項４に係る発明（以下、「請求項４発明」という。）と上記刊行物１に記載された発明とを対比すると、請求項４発明は、
「前記少なくとも２つの読み出し制御部の内の１つである第１読み出し制御部は、前記電子式拡大制御回路出力信号を用いて、前記フィールドメモリに記憶されている第ｎフィールドの信号の任意の領域である第１領域を読み出し、この第１領域の信号は前記第１の信号処理回路に入力され、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、この第２領域の信号は前記第２の信号処理回路に入力され、
　前記第ｎフィールドに引き続く第（ｎ十１）フィールドの書き込み先頭アドレスを前記第１領域の読み出し終了アドレスの次のアドレス以降で且つ前記第２領域内になるように決定すると共に、前記第（ｎ＋１）フィールドの映像信号を前記書き込み先頭アドレスを始点として、前記第２の信号処理回路の出力信号を前記フィールドメモリにリング状に書き込み、」
を行うものであるのに対して、刊行物１に記載された発明はこのような構成を有しない点で相違している。
　
　そして、この相違点は上記請求項１と刊行物１との相違点とほぼ同じ内容であるから、上記相違点１についてで述べた理由と同様な理由により、請求項４発明は刊行物１ないし３に基づいて当業者が容易に発明できたものではない。
　
（６）請求項２、３、及び５ないし１１について
　請求項２、３に係る発明は請求項１を引用した発明であり、請求項５に係る発明は請求項４を引用した発明であり、請求項６ないし１１に係る発明は請求項１ないし５を引用した発明である。そして、請求項１、４に係る発明は上記のとおり、当業者が容易に発明できたものではないから、請求項２、３、及び５ないし１１に係る発明も、当業者が容易に発明できたものではない。
　
（７）むすび
　以上のとおりであるから、特許異議申立ての理由及び証拠並びに上記取消理由通知で示した理由によっては、本件請求項１ないし１１に係る発明の特許を取り消すことができない。
　また、他に本件請求項１ないし１１に係る発明の特許を取り消すべき理由を発見しない。
　よって、結論のとおり決定する。
【異議決定日】
平成１２年１１月２２日（２０００．１１．２２）
【訂正の要旨】
（３）訂正の要旨
　（イ）訂正事項１
　特許請求の範囲の請求項１を、特許請求の範囲の減縮を目的として「少なくとも２つの独立した読み出しポートを有し１フィールド分以上の画像の記憶容量を持つフィールドメモリと、前記２つの独立した読み出しポートに対応する少なくとも２つの読み出し制御部と、書き込み制御部とを備え、
　前記少なくとも２つの読み出し制御部の内の１つである第１読み出し制御部は前記フィールドメモリに記憶されている第ｎフィールドの信号の任意の領域である第１領域を読み出し、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、
　前記第ｎフィールドに引き続く第（ｎ＋１）フィールドの書き込み先頭アドレスを前記第１領域の読み出し終了アドレスの次のアドレス
以降で且つ前記第２領域内
　前記第１領域の信号を映像信号として出力することを特徴とする画像メモリ機能付き映像装置。」と訂正します。
　（ロ）訂正事項２
　特許請求の範囲の請求項４を、特許請求の範囲の減縮を目的として「第１の信号処理回路と、第２の信号処理回路と、電子式拡大制御回路と、少なくとも２つの独立した読み出しポートを有し１フィールド分以上の画像の記憶容量を持つフィールドメモリと、前記２つの独立した読み出しポートに対応する少なくとも２つの読み出し制御部と、書き込み制御部とを備え、
　前記少なくとも２つの読み出し制御部の内の１つである第１読み出し制御部は、前記電子式拡大制御回路出力信号を用いて、前記フィールドメモリに記憶されている第ｎフィールドの信号の任意の領域である第１領域を読み出し、この第１領域の信号は前記第１の信号処理回路に入力され、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、この第２領域の信号は前記第２の信号処理回路に入力され、
　前記第ｎフィールドに引き続く第（ｎ＋１）フィールドの書き込み先頭アドレスを前記第１領域の読み出し終了アドレスの次のアドレス
以降で且つ前記第２領域内
　映像入力信号を第２の信号処理回路に入力し、この第２の信号処理回路は前記映像入力信号と前記第２領域の信号とを用いて巡回型のノイズリデューサを構成し、
　前記第１の信号処理回路は前記電子式拡大制御回路の出力信号を用いて前記第１領域の信号を補間処理により正規のテレビジョン信号に生成し、映像出力信号として出力することを特徴とする画像メモリ機能付き映像装置。」と訂正します。
　（ハ）訂正事項３
　特許請求の範囲の請求項６を特許請求の範囲の減縮を目的として削除します。
　（ニ）訂正事項４
　特許請求の範囲の請求項７を特許請求の範囲の減縮を目的として削除します。
　（ホ）訂正事項５
　特許請求の範囲の請求項８を、上記訂正事項４に伴い、請求項６とし、「請求項１，２，３，４，５，６または７記載の」とあるのを「請求項１，２，３，４または５記載の」と訂正します。
　（へ）訂正事項６
　特許請求の範囲の請求項９を、上記訂正事項４に伴い、請求項７とし、「請求項１，２，３，４，５，６または７記載の」とあるのを「請求項１，２，３，４または５記載の」と訂正します。
　（ト）訂正事項７
　特許請求の範囲の請求項１０を、上記訂正事項４に伴い、請求項８とし、「請求項１，２，３，４，５，６または７記載の」とあるのを「請求項１，２，３，４または５記載の」と訂正します。
　（チ）訂正事項８
　特許請求の範囲の請求項１１を、上記訂正事項４に伴い、請求項９とし、「請求項１，２，３，４，５，６または７記載の」とあるのを「請求項１，２，３，４または５記載の」と訂正します。
　（リ）訂正事項９
　特許請求の範囲の請求項１２を、上記訂正事項４に伴い、請求項１０とし、「請求項１，２，３，４，５，６または７記載の」とあるのを「請求項１，２，３，４または５記載の」と訂正します。
　（ヌ）訂正事項１０
　特許請求の範囲の請求項１３を、上記訂正事項４に伴い、請求項１１とし、「請求項１，２，３，４，５，６または７記載の」とあるのを「請求項１，２，３，４または５記載の」と訂正します。
　（ル）訂正事項１１
　明細書段落番号００１１を、明瞭でない記載の釈明を目的として、
　「【００１１】
　【課題を解決するための手段】
　この目的を達成するために本発明の画像メモリ機能付き映像装置は、少なくとも２つの独立した読み出しポートを有し１フィールド分以上の画像の記憶容量を持つフィールドメモリと、前記２つの独立した読み出しポートに対応する少なくとも２つの読み出し制御部と、書き込み制御部とを備え、
　前記少なくとも２つの読み出し制御部の内の１つである第１読み出し制御部は前記フィールドメモリに記憶されている第ｎフィールドの信号の任意の領域である第１領域を読み出し、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、
　前記第ｎフィールドに引き続く第（ｎ＋１）フィールドの書き込み先頭アドレスを前記第１領域の読み出し終了アドレスの次のアドレス
以降で且つ前記第２領域内に
　（ヲ）訂正事項１２
　明細書段落番号００１２を、明瞭でない記載の釈明を目的として、
「【００１２】
　【作用】
　本発明は上記した構成により、入力された映像信号を、書き込み制御部が与える書き込み先頭アドレスからリングメモリ（メモリの上限アドレスと下限アドレスが見かけ上連続しているように制御されるメモリ）状にフィールドメモリに書き込む。垂直ブランキング期間中に、次のフィールドで一つの読み出しポート（第１読み出しポート）から読み出す任意の領域の先頭アドレスと終了アドレスと、もう一つの読み出しポート（第２読み出しポート）から読み出す任意の領域の先頭アドレスと終了アドレスを決定し、さらに第１読み出しポートの読み出し終了アドレスの次のアドレス
以降で且つ前記第２領域内に
　これらを繰り返すことにより、出力する映像信号は第２読み出しポート側での処理も有効で、第１ポート側の処理も実現可能となる。例えば１フィールド分のメモリで第２ポートで巡回型ノイズ低減機能を実現し、このノイズ低減された信号を用いて第１ポートでは電子式拡大機能を実現することができる。」
と訂正します。
（５４）【発明の名称】
画像メモリ機能付き映像装置
（５７）【特許請求の範囲】
　【請求項１】　少なくとも２つの独立した読み出しポートを有し１フィールド分以上の画像の記憶容量を持つフィールドメモリと、前記２つの独立した読み出しポートに対応する少なくとも２つの読み出し制御部と、書き込み制御部とを備え、
　前記少なくとも２つの読み出し制御部の内の１つである第１読み出し制御部は前記フィールドメモリに記憶されている第ｎフィールドの信号の任意の領域である第１領域を読み出し、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、
　前記第ｎフィールドに引き続く第（ｎ＋１）フィールドの書き込み先頭アドレスを前記第１領域の読み出し終了アドレスの次のアドレス
以降で且つ前記第２領域内
　前記第１領域の信号を映像信号として出力することを特徴とする画像メモリ機能付き映像装置。
　【請求項２】　第１領域の信号は、電子的拡大処理を施され、第２領域の信号は、ノイズリダクション処理を施されることを特徴とする請求項１記載の画像メモリ機能付き映像装置。
　【請求項３】　第１領域の信号は、手ぶれ補正処理を施され、第２領域の信号は、ノイズリダクション処理を施されることを特徴とする請求項１記載の画像メモリ機能付き映像装置。
　【請求項４】　第１の信号処理回路と、第２の信号処理回路と、電子式拡大制御回路と、少なくとも２つの独立した読み出しポートを有し１フィールド分以上の画像の記憶容量を持つフィールドメモリと、前記２つの独立した読み出しポートに対応する少なくとも２つの読み出し制御部と、書き込み制御部とを備え、　前記少なくとも２つの読み出し制御部の内の１つである第１読み出し制御部は、前記電子式拡大制御回路出力信号を用いて、前記フィールドメモリに記憶されている第ｎフィールドの信号の任意の領域である第１領域を読み出し、この第１領域の信号は前記第１の信号処理回路に入力され、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、この第２領域の信号は前記第２の信号処理回路に入力され、
　前記第ｎフィールドに引き続く第（ｎ＋１）フィールドの書き込み先頭アドレスを前記第１領域の読み出し終了アドレスの次のアドレス
以降で且つ前記第２領域内
　映像入力信号を第２の信号処理回路に入力し、この第２の信号処理回路は前記映像入力信号と前記第２領域の信号とを用いて巡回型のノイズリデューサを構成し、
　前記第１の信号処理回路は前記電子式拡大制御回路の出力信号を用いて前記第１領域の信号を補間処理により正規のテレビジョン信号に生成し、映像出力信号として出力することを特徴とする画像メモリ機能付き映像装置。
　【請求項５】　電子式拡大制御回路は、動き量検出回路とズーム倍率設定回路から構成され、前記動き量検出回路で検出した動き量とズーム倍率設定回路で設定されたズーム倍率とに応じて、第１読み出し制御部を制御することを特徴とする請求項４記載の画像メモリ機能付き映像装置。
　
【請求項６】
４または５
　
【請求項７】
４または５
　
【請求項８】
４または５
　
【請求項９】
４または５
　
【請求項１０】
４または５
　
【請求項１１】
４または５
【発明の詳細な説明】
　【０００１】
　【産業上の利用分野】
　本発明は、ビデオカメラ等の映像処理装置におけるメモリ機能に関するものであり、特に電子式拡大処理と巡回型ノイズ低減処理というようにメモリを用いる複数の機能を実現する画像メモリ機能付き映像装置に関するものである。
　【０００２】
　【従来の技術】
　近年、ビデオカメラ等の映像装置においてはデジタル化，多機能化が進み、メモリを用いた各機能を備えた撮像装置の開発、商品化が行われている。従来のビデオカメラ等の撮像装置におけるメモリ機能について説明する。
　【０００３】
　従来のメモリを用いた映像装置としては、特公平６−８１２７６号公報「画像メモリ装置」がある。以下に、この画像メモリ装置について説明する。
　【０００４】
　図１２はこの画像メモリ装置のブロック図を示すものであり、図１２において、入力端子２０１からの映像信号入力はデュアルポート型のフィールドメモリ２０２の入力ポートに入力される。２０３は書き込み制御回路で、入力端子２０４に与えられる同期信号と、入力端子２０７に与えられる読み出し終了相対アドレスから、映像信号入力に対応した書き込みアドレスを生成し、フィールドメモリ２０２に与える。また、当該フィールドの書き込み先頭アドレスを読み出し制御回路２０５に与える。読み出し制御回路２０５で、入力端子２０６に与えられる読み出し先頭相対アドレスと、読み出し終了相対アドレス及び同期信号から、図１３に示す読み出し領域（後述）のデータに対応する読み出しアドレスを生成し、フィールドメモリ２０２に与える。２０８は補間回路で、フィールドメモリ２０２から読み出された画像の１部領域を補間・内挿して１画面の映像に拡大して、映像出力を出力端子２０９に出力する。
　【０００５】
　以上のように構成された画像メモリ装置について、以下その動作を図１３を参照しながら説明する。
　【０００６】
　図１３はフィールドメモリ２０２に書き込まれる１フィールド分の映像信号と、同じく読み出される領域との関係を示す図である。図中、斜線部は読み出し領域である。読み出し領域の左上は読み出し先頭アドレスであり、これは書き込み制御回路２０３から得られる前フィールドの書き込み先頭アドレスに、読み出し先頭相対アドレスを加算して求められる。同様に、斜線部右下の読み出し終了アドレスは前フィールドの書き込み先頭アドレスに読み出し終了相対アドレスを加算して求められる。これらの処理は読み出し制御回路２０５で行われる。そして次フィールドで読み出すために当該フィールドの読み出しと同時に書き込まれる次フィールド分の書き込み先頭アドレスは、読み出し領域に重ならずしかも読み出し終了アドレスに近いアドレスとなるように、書き込み制御回路２０３で決定される。
　【０００７】
　また、従来のメモリを用いた映像装置として、フィールドメモリを用いた巡回型ノイズ低減回路を有するものがある。以下に、この撮像装置の巡回型ノイズ低減装置におけるメモリ制御について説明する。図１４は巡回型ノイズ低減装置のブロック図を示すものである。第１の減算手段２１０で入力映像信号とフィールドメモリ２１１の出力信号との差分信号を求める。入力映像信号が静止画であれば、上記差分信号中には映像信号は殆ど含まれず、ノイズだけが取り出される。この差分信号を第２の減算手段２１２において入力信号から差し引くことにより、ノイズを低減するものである。この処理は、２つのフィールドの平均化処理と見なすことができる。
　【０００８】
　しかし、上記の巡回型ノイズ低減装置では動画においては差分信号中に映像信号が多く含まれるようになってくるため、入力信号から上記差分信号をそのまま差し引くと残像劣化を引き起こすことになる。そこで、「一般的にノイズは信号に比べて振幅が小さい」という統計的理由に基づき、図１４の乗算手段２１３において上記差分信号に係数ｋ（０≦ｋ≦１）を乗算し、振幅の小さい部分だけをノイズとして抜き出している。具体的には、上記差分信号のうち振幅の小さい部分に対してはｋを１に近い値、振幅の大きい部分に対してはｋを０に近い値に制御することでノイズを抜き出す。こうして抜き出したノイズを入力信号から減算することにより、残像を抑制しながらノイズを低減するということが可能になってくる。
　【０００９】
　【発明が解決しようとする課題】
　しかしながら上記従来の画像メモリ機能付き映像装置には、次のような問題点がある。すなわち、多機能化を実現するために電子式拡大機能と巡回型ノイズ低減機能を実現するには電子式拡大機能用フィールドメモリと巡回型ノイズ低減機能用フィールドメモリが必要となり、コスト・消費電力及びＰ板面積が大きくなり、ローコスト化や小型化が困難になるという問題点を有していた。
　【００１０】
　本発明は上記従来の問題点を解決するものであって１フィールド分のメモリで電子式拡大機能と巡回型ノイズ低減機能等の複数機能を実現できる画像メモリ機能付き映像装置を提供することを目的とする。
　【００１１】
　【課題を解決するための手段】
　この目的を達成するために本発明の画像メモリ機能付き映像装置は、少なくとも２つの独立した読み出しポートを有し１フィールド分以上の画像の記憶容量を持つフィールドメモリと、前記２つの独立した読み出しポートに対応する少なくとも２つの読み出し制御部と、書き込み制御部とを備え、
　前記少なくとも２つの読み出し制御部の内の１つである第１読み出し制御部は前記フィールドメモリに記憶されている第ｎフィールドの信号の任意の領域である第１領域を読み出し、
　前記少なくとも２つの読み出し制御部の内のもう１つである第２読み出し制御部は前記フィールドメモリに記憶されている第ｎフィールドの信号の内前記第１領域を含みその領域より広い領域である第２領域を読み出し、
　前記第ｎフィールドに引き続く第（ｎ＋１）フィールドの書き込み先頭アドレスを前記第１領域の読み出し終了アドレスの次のアドレス
以降で且つ前記第２領域内に
　【００１２】
　【作用】
　本発明は上記した構成により、入力された映像信号を、書き込み制御部が与える書き込み先頭アドレスからリングメモリ（メモリの上限アドレスと下限アドレスが見かけ上連続しているように制御されるメモリ）状にフィールドメモリに書き込む。垂直ブランキング期間中に、次のフィールドで一つの読み出しポート（第１読み出しポート）から読み出す任意の領域の先頭アドレスと終了アドレスと、もう一つの読み出しポート（第２読み出しポート）から読み出す任意の領域の先頭アドレスと終了アドレスを決定し、さらに第１読み出しポートの読み出し終了アドレスの次のアドレス
以降で且つ前記第２領域内に
　これらを繰り返すことにより、出力する映像信号は第２読み出しポート側での処理も有効で、第１ポート側の処理も実現可能となる。例えば１フィールド分のメモリで第２ポートで巡回型ノイズ低減機能を実現し、このノイズ低減された信号を用いて第１ポートでは電子式拡大機能を実現することができる。
　【００１３】
　　【実施例】
　以下、本発明の実施例について、図面を参照しながら説明する。
　【００１４】
　図１は本発明の第１の実施例における画像メモリ機能付き映像装置のブロック図を示すものである。
　【００１５】
　図１において、１０１は映像入力信号を入力する入力端子、１０２は３ポート型のフィールドメモリであり、映像入力信号は３ポート型のフィールドメモリ１０２に入力される。１０３はフィールドメモリ１０２の書き込み制御を行う書き込み制御回路、１０４はフィールドメモリ１０２の第１読み出しポートの読み出し制御を行う第１読み出し制御回路、１０５はフィールドメモリ１０２の第２読み出しポートの読み出し制御を行う第２読み出し制御回路、１０６は映像出力信号の出力端子、１０７，１０８はマイクロコンピュータ等別回路から与えられる読み出し先頭相対アドレス，読み出し終了相対アドレスを入力する入力端子、１０９は映像信号の同期信号を入力する入力端子である。
　【００１６】
　以上のように構成された画像メモリ機能付き映像装置について、以下その動作を図２，図３を参照しながら説明する。
　【００１７】
　図２はフィールドメモリ１０２に書き込まれる１フィールド分の映像信号と、同じく読み出される領域（第１読み出し領域，第２読み出し領域）との関係を示す図である。図中、Ａ，Ｂ，Ｃは書き込み領域＝第２読み出し領域であり、またＢ（斜線部）は第１読み出し領域である。前フィールドの書き込み先頭アドレスと当該フィールドの第２読み出し先頭アドレスとは等しく、書き込み領域と第２読み出し領域とは等しい。一方、第１読み出し領域の左上は第１読み出し先頭アドレスであり、これは書き込み制御回路１０３から得られる前フィールドの書き込み先頭アドレスに、第１読み出し先頭相対アドレスを加算して求められる。同様に、斜線部Ｂ右下の第１読み出し終了アドレスは前フィールドの書き込み先頭アドレスに第１読み出し終了相対アドレスを加算して求められる。これらの処理は第１読み出し制御回路１０４で行われる。そして、次フィールドで読み出すために当該フィールドの読み出しと同時に書き込まれる次フィールド分の書き込み先頭アドレスは、第１読み出し領域に重ならずしかも第１読み出し終了アドレスに近いアドレスとなるように、書き込み制御回路１０３で決定される。ここで、フィールドメモリ１０２の容量が１フィールド分のみの場合は、読み出し終了アドレスの次のアドレスから読み出し終了走査線の次の走査線の先頭アドレスまでの範囲（フィールドメモリ１０２の容量に余裕がある場合は、更にその余裕分を加えた範囲内）のいずれかのアドレスに書き込み先頭アドレスを決定すればよい。このように、書き込み制御回路１０３で、同期信号と、読み出し終了相対アドレスから、映像信号入力１０１に対応した書き込みアドレスを生成し、フィールドメモリ１０２に与える。また、当該フィールドの書き込み先頭アドレスを第１読み出し制御回路１０４及び第２読み出し制御回路１０５に与える。第１読み出し制御回路１０４は、読み出し先頭相対アドレスと、前記読み出し終了相対アドレス及び同期信号から、図２に示す第１読み出し領域及び第２読み出し領域のデータに対応する第１読み出しアドレス及び第２読み出しアドレスを生成し、フィールドメモリ１０２に与える。
　【００１８】
　図３は上記のように生成された書き込み・読み出しアドレスの発生タイミングを示す図であり、ｎフィールドで書き込まれた信号を（ｎ＋１）フィールドで読み出しながら新たに書き込みを行う様子を示している。各フィールドの書き込み先頭アドレスは黒丸で表わされ、読み出し先頭アドレスは白丸で表されている。ここで、（ｎ＋１）フィールドの第１読み出し先頭アドレスは、例えば電子式拡大機能の拡大倍率及び手ぶれ補正のための１画面中の切り出し領域位置等の制御により、前述のようにｎフィールドの書き込み先頭アドレスに読み出し先頭相対アドレスを加算して求め、同様に読み出し終了相対アドレスを加算して求められる読み出し終了アドレスから、（ｎ＋１）フィールド目の書き込み先頭アドレス（黒丸）が決定される。また、（ｎ＋１）フィールドの第２読み出し先頭アドレスは、例えば巡回型ノイズ低減機能等の制御により前述のようにｎフィールドの書き込み先頭アドレスが用いられる。
　【００１９】
　また、書き込み（読み出し）アドレスがフィールドメモリの上限アドレスに達したとき、フィールドメモリの下限アドレスからそのまま続けて書き込む（読み出す）ように制御する。
　【００２０】
　この時、図３に示すように、（ｎ＋１）フィールドにおいて第１読み出しアドレスにより読み出される第１読み出し領域の信号は、書き込みアドレスにより追い越されることはないが、第２読み出しアドレスにより読み出される第２読み出し領域の信号は、当該フィールドの書き込み動作により途中から新データに書き変わっているため、第２読み出し領域信号を用いる処理が有効な範囲が制限される。つまり、例えば第２読み出し領域信号を用いる処理である巡回型ノイズ低減等の処理が有効な範囲が制限され、ノイズ低減されない範囲が存在することになる。但し、書き込み動作により途中から新データに書き変わるのは、第１読み出し領域の信号を用いて補間・内挿を行い電子式拡大機能等を実現するためであり、第１読み出し領域の信号を最終出力として使用する場合は、第１読み出し領域の信号がノイズ低減されていれば良く、図２，図３に示すように、第１読み出し領域の信号は全て巡回型ノイズ低減が有効な範囲に含まれている。
　【００２１】
　これらの動作を繰り返すことにより、映像信号入力がフィールドメモリ１０２に書き込まれ、同時に、読み出し先頭相対アドレスと読み出し終了相対アドレスで指定された領域がフィールドメモリ１０２の第１読み出しポートから読み出され、最終出力信号として出力される。しかもこの第１読み出しポートから読み出される領域の信号は第２読み出しポートからの信号を用いた巡回型ノイズ低減機能によりノイズ除去された信号である。
　【００２２】
　以上説明したように、本実施例の画像メモリ機能付き映像装置では、３ポートのフィールドメモリ一つで、巡回型ノイズ低減機能と電子式拡大機能または手ぶれ補正のように複数のメモリを用いる機能を実現することができる。
　【００２３】
　図４は本発明の第２の実施例における画像メモリ機能付き映像装置のブロック図を示すものである。
　【００２４】
　図４において、図１と共通部分は同一符号で示し、異なる部分を中心に説明する。図４において、１１０は巡回型ノイズ低減回路であり、映像信号１０１は巡回型ノイズ低減回路に入力される。１１１は電子式拡大機能（電子ズーム）を制御し、必要な読み出し先頭相対アドレス，読み出し終了相対アドレス，補間制御信号を発生する電子式拡大制御回路、１１２はフィールドメモリ１０２の第１読み出しポート出力信号である画像の一部領域を補間・内挿して１画面の映像に拡大する補間回路である。
　【００２５】
　以上のように構成された画像メモリ機能付き映像装置について、以下その動作を図５，図６を参照しながら説明する。
　【００２６】
　図５は図２と同様フィールドメモリ１０２に書き込まれる１フィールド分の映像信号と、同じく読み出される領域（第１読み出し領域，第２読み出し領域）との関係を示す図である。図中、Ａ，Ｂ，Ｃは書き込み領域＝第２読み出し領域であり、またＢ（斜線部）は第１読み出し領域である。前フィールドの書き込み先頭アドレスと当該フィールドの第２読み出し先頭先頭アドレスとは等しく、書き込み領域と第２読み出し領域とは等しい。一方、第１読み出し領域の左上は第１読み出し先頭アドレスであり、これはメモリ書き込み制御回路１０３から得られる前フィールドの書き込み先頭アドレスに、電子式拡大制御回路１１１からの読み出し先頭相対アドレスを加算して求められる。同様に、斜線部Ｂ右下の第１読み出し終了アドレスは前フィールドの書き込み先頭アドレスに、電子式拡大制御回路１１１からの読み出し終了相対アドレスを加算して求められる。これらの処理は第１読み出し制御回路１０４で行われる。そして、次フィールドで読み出すために当該フィールドの読み出しと同時に書き込まれる次フィールド分の書き込み先頭アドレスは、第１読み出し領域に重ならずしかも第１読み出し終了アドレスに近いアドレスとなるように、書き込み制御回路１０３で決定される。ここで、フィールドメモリ１０２の容量が１フィールド分のみの場合は、読み出し終了アドレスの次のアドレスから読み出し終了走査線の次の走査線の先頭アドレスまでの範囲（フィールドメモリ１０２の容量に余裕がある場合は、更にその余裕分を加えた範囲内）のいずれかのアドレスに書き込み先頭アドレスを決定すればよい。このように、書き込み制御回路１０３で、同期信号と、電子式拡大制御回路１１１からの読み出し終了相対アドレスから、映像信号入力に対応した書き込みアドレスを生成し、フィールドメモリ１０２に与える。また、当該フィールドの書き込み先頭アドレスをメモリ第１読み出し制御回路１０４及びメモリ第２読み出し制御回路１０５に与える。第１読み出し制御回路１０４は、電子式拡大制御回路１１１からの読み出し先頭相対アドレスと読み出し終了相対アドレス及び同期信号１０９から、図５に示す第１読み出し領域及び第２読み出し領域のデータに対応する第１読み出しアドレス及び第２読み出しアドレスを生成し、フィールドメモリ１０２に与える。
　【００２７】
　図６は上記のように生成された書き込み・読み出しアドレスの発生タイミングを示す図であり、ｎフィールドで書き込まれた信号を（ｎ＋１）フィールドで読み出しながら新たに書き込みを行う様子を示している。各フィールドの書き込み先頭アドレスは黒丸で表わされ、読み出し先頭アドレスは白丸で表されている。ここで（ｎ＋１）フィールドの第１読み出し先頭アドレスは、電子式拡大制御回路１１１におけるズーム倍率及び１画面中の切り出し領域位置制御により、前述のようにｎフィールドの書き込み先頭アドレスに読み出し先頭相対アドレスを加算して求め、同様に読み出し終了相対アドレスを加算して求められる読み出し終了アドレスから、（ｎ＋１）フィールド目の書き込み先頭アドレス（黒丸）が決定される。また（ｎ＋１）フィールドの第２読み出し先頭アドレスは、巡回型ノイズ低減回路１１０が巡回型ノイズ低減を行うために前述のようにｎフィールドの書き込み先頭アドレスが用いられる。
　【００２８】
　また、書き込み（読み出し）アドレスがフィールドメモリの上限アドレスに達したとき、フィールドメモリの下限アドレスからそのまま続けて書き込む（読み出す）ように制御する。
　【００２９】
　また、フィールド毎に第１読み出し領域の垂直位置が異なる場合、例えば電子式拡大機能の拡大倍率が異なる場合や電子式拡大機能を用いて手ぶれ補正を行うために画面中の切り出し領域位置を変化する場合等、は当該フィールドの書き込みが始まるまでに、書き込み先頭アドレスが確定している必要がある。つまり、当該フィールドの有効期間が始まるまでにこれらの演算が終了している必要がある。
　【００３０】
　ここで、電子式拡大機能を用いた手ぶれ補正における電子式拡大制御回路１１１を図７を用いて以下簡単に説明する。電子式拡大制御回路１１１はズーム倍率設定回路１１３と動き量検出回路１１４と加算回路１１５から構成され、ズーム倍率設定回路１１３は、電子ズーム倍率に応じフィールドメモリ１０２に書き込まれた画面の中央部分を切り出すために必要な読み出し先頭相対アドレス及び読み出し終了相対アドレスを発生し、一方、動き量検出回路１１４は検出した動き量に応じ、手ぶれ等の動きをキャンセルするために必要な読み出し先頭相対アドレスを発生する。そして、加算回路１１５によって上記読み出し先頭相対アドレスが加算される。つまり、電子式拡大制御回路１１１が発生する読み出し先頭相対アドレスは電子ズーム倍率と動き量に応じて決定し、読み出し終了相対アドレス電子ズーム倍率に応じて決定される。
　【００３１】
　この時、図６に示すように、（ｎ＋１）フィールドにおいて第１読み出しアドレスにより読み出される第１読み出し領域の信号は、書き込みアドレスにより追い越されることはないが、第２読み出しアドレスにより読み出される第２読み出し領域の信号は、当該フィールドの書き込み動作により途中から新データに書き変わっているため、巡回型ノイズ低減回路１１０が第２読み出し領域信号を用いて行うノイズ低減有効範囲が制限され、ノイズ低減されない範囲が存在することになる。但し、書き込み動作により途中から新データに書き変わるのは、第１読み出し領域の信号を用いて補間回路１１２で補間・内挿を行い電子式拡大機能を実現するためであり、補間回路入力信号範囲がノイズ低減されていれば良く、図５，図６に示すように補間回路入力信号範囲の信号は、全て巡回型ノイズ低減が有効な範囲に含まれている。
　【００３２】
　これらの動作を繰り返すことにより、映像信号入力がフィールドメモリ１０２に書き込まれ、同時に、電子式拡大制御回路１１１が発生する読み出し先頭相対アドレスと読み出し終了相対アドレスで指定された領域がフィールドメモリ１０２の第１読み出しポートから読み出され、補間回路１１２で１画面の信号として拡大される。しかもこの第１読み出しポートから読み出される領域の信号は第２読み出しポートからの信号を用い巡回型ノイズ低減回路１１０によりノイズ除去された信号である。
　【００３３】
　以上説明したように、本実施例の画像メモリ機能付き映像装置では、３ポートのフィールドメモリ一つで、巡回型ノイズ低減機能と電子式拡大機能（電子式拡大機能を用いる手ぶれ補正方式を含む）を実現することができる。
　【００３４】
　また、上記実施例では、説明を簡単にするために、補間回路１１２が行う補間機能を垂直方向に限定した場合を説明したが、水平方向も同時に行う場合（例えば画像の中央部のみを読み出す場合）には、フィールドメモリ１０２に与えるアドレスを垂直アドレスと水平アドレスに分け、垂直アドレスについてのみ上記のようなコントロールを行えば良い。
　【００３５】
　また、上記実施例では、動き量検出の説明は省略したが、映像検出方式，角速度検出方式等による動き量検出が考えられる。
　【００３６】
　また、上記実施例では、電子式拡大制御回路と補間回路及びメモリ制御による内挿・補間動作の説明は各種文献で既知のため省略したが、ズーム倍率に応じて内挿係数を変化させ、メモリに対しては同一信号を読み出す等の制御を行うものである。
　【００３７】
　次に、図８は本発明の第３の実施例における画像メモリ機能付き映像装置のブロック図を示すものである。
　【００３８】
　図８において図１，図４と共通部分は同一符号で示し、異なる部分を中心に説明する。
　【００３９】
　１１６は手ぶれ補正のために動き量を検出する動き量検出回路であり、検出した動き量に応じて必要な読み出し先頭相対アドレス，読み出し終了相対アドレスを発生する。
　【００４０】
　ここでの手ぶれ補正は電子式拡大機能を用いずに拡大撮像素子を用いる方式であり、この方式を図９を用いて簡単に説明する。この方式は特開平７−６７０２１号公報「画像動き補正回路」、あるいはテレビジョン学会技術報告Ｖｏｌ．１８，Ｎｏ．８「高画質手ぶれ補正システムの開発」に示してあるように、手ぶれ補正用余裕画素を有するＣＣＤ（ここでは８５８Ｈ×６１４Ｖ）から、予測補正（垂直方向）により映像信号を切り出して（ここでは８３８Ｈ×２５０Ｖ）フィールドメモリに書き込み、その後動き検出による補正（垂直方向）によりフィールドメモリから再度映像信号を切り出し（ここでは８３８Ｈ×２４３Ｖ）、その後水平方向の切り出しを行うものである。このように、動き検出情報を用いてフィールドメモリから垂直方向の切り出しを行う。
　【００４１】
　以上のように構成された画像メモリ機能付き映像装置について、以下その動作を図１０，図１１を参照しながら説明する。
　【００４２】
　図１０は図２，図５と同様フィールドメモリ１０２に書き込まれる１フィールド分の映像信号と、同じく読み出される領域（第１読み出し領域，第２読み出し領域）との関係を示す図である。図中、Ａ，Ｂ，Ｃは書き込み領域＝第２読み出し領域であり、またＢ（斜線部）は第１読み出し領域である。前フィールドの書き込み先頭アドレスと当該フィールドの第２読み出し先頭アドレスとは等しく、書き込み領域と第２読み出し領域とは等しい。一方、第１読み出し領域の左上は第１読み出し先頭アドレスであり、これはメモリ書き込み制御回路１０３から得られる前フィールドの書き込み先頭アドレスに、動き量検出回路１１６からの読み出し先頭相対アドレスを加算して求められる。同様に、斜線部Ｂ右下の第１読み出し終了アドレスは前フィールドの書き込み先頭アドレスに動き量検出回路１１６からの読み出し終了相対アドレスを加算して求められる。これらの処理はメモリ第１読み出し制御回路１０４で行われる。そして、次フィールドで読み出すために当該フィールドの読み出しと同時に書き込まれる次フィールド分の書き込み先頭アドレスは、第２読み出し終了アドレスとなるように、メモリ書き込み制御回路１０３で決定される。ここで、フィールドメモリ１０２の容量が１フィールド分のみの場合は、読み出し終了アドレスの次のアドレスから読み出し終了走査線の次の走査線の先頭アドレスまでの範囲（フィールドメモリ１０２の容量に余裕がある場合は、更にその余裕分を加えた範囲内）のいずれかのアドレスに書き込み先頭アドレスを決定すればよい。このように、書き込み制御回路１０３で、同期信号と、動き量検出回路１１６からの読み出し終了相対アドレス（この場合は、手ぶれ補正出力信号領域は一定のため固定値）から、映像信号入力に対応した書き込みアドレスを生成し、フィールドメモリ１０２に与える。また、当該フィールドの書き込み先頭アドレスを第１読み出し制御回路１０４及び第２読み出し制御回路１０５に与える。第１読み出し制御回路１０４は、動き量検出回路１１６からの読み出し先頭相対アドレスと読み出し終了相対アドレス及び同期信号から、図１０に示す第１読み出し領域及び第２読み出し領域のデータに対応する第１読み出しアドレス及び第２読み出しアドレスを生成し、フィールドメモリ１０２に与える。
　【００４３】
　図１１は上記のように生成された書き込み・読み出しアドレスの発生タイミングを示した図であり、ｎフィールドで書き込まれた信号を（ｎ＋１）フィールドで読み出しながら新たに書き込みを行う様子を示している。各フィールドの書き込み先頭アドレスは黒丸で表わされ、読み出し先頭アドレスは白丸で表されている。ここで、（ｎ＋１）フィールドの第１読み出し先頭アドレスは手ぶれ補正機能の１画面中の切り出し領域位置制御により、前述のようにｎフィールドの書き込み先頭アドレスに読み出し先頭相対アドレスを加算して求め、同様に読み出し終了相対アドレス（固定値）を加算して求められる読み出し終了アドレスから、（ｎ＋１）フィールド目の書き込み先頭アドレス（黒丸）が決定される。また、（ｎ＋１）フィールドの第２読み出し先頭アドレスは、巡回型ノイズ低減回路１１０が巡回型ノイズ低減を行うために前述のようにｎフィールドの書き込み先頭アドレスが用いられる。
　【００４４】
　また、書き込み（読み出し）アドレスがフィールドメモリの上限アドレスに達したとき、フィールドメモリの下限アドレスからそのまま続けて書き込む（読み出す）ように制御する。また、この場合動き量検出回路１１６が検出する動きベクトルに応じて、フィールド毎に第１読み出し領域の垂直位置が異なるので、当該フィールドの書き込みが始まるまでに、書き込み先頭アドレスが確定している必要がある。つまり、当該フィールドの有効期間が始まるまでにこれらの演算が終了している必要がある。
　【００４５】
　この時、図１１に示すように、（ｎ＋１）フィールドにおいて第１読み出しアドレスにより読み出される第１読み出し領域の信号及び第２読み出しアドレスにより読み出される第２読み出し領域の信号は、書き込みアドレスにより追い越されることはない。
　【００４６】
　これらの動作を繰り返すことにより、映像信号入力がフィールドメモリ１０２に書き込まれ、同時に、動き量検出回路１１６が発生する読み出し先頭相対アドレスと読み出し終了相対アドレスで指定された領域がフィールドメモリ１０２の第１読み出しポートから読み出され、手ぶれ等の動きが補正される。しかもこの第１読み出しポートから読み出される領域の信号は、第２読み出しポートからの信号を用い巡回型ノイズ低減回路１１０によりノイズ除去された信号である。
　【００４７】
　以上説明したように、本実施例の画像メモリ機能付き映像装置では、３ポートのフィールドメモリ一つで、巡回型ノイズ低減機能と手ぶれ補正機能を実現することができる。
　【００４８】
　また上記実施例では、フィールドメモリの第１読み出しポート側の信号をそのまま出力する場合を示したが、第１読み出しポート側の信号は垂直方向にライン単位での手ぶれ補正を行っているだけなので、さらに手ぶれ補正精度を高めるために、ライン未満（小数）の補正を行う。つまり、内挿処理回路を設け処理後出力することが考えられる。
　【００４９】
　また上記実施例では、第１読み出し領域の信号を用いた拡大撮像素子方式による手ぶれ補正機能の場合を説明したが、第１読み出し領域の信号を用いて拡大撮像素子方式による手ぶれ補正機能と補間回路による電子式拡大機能とを両方実現することは可能である。
　【００５０】
　【発明の効果】
　以上のように、本発明は３ポートメモリとメモリ書き込み制御回路とメモリ第１読み出し制御回路及びメモリ第２読み出し制御回路を設け、メモリ制御を行うことによって、１フィールド分のメモリ容量でメモリを用いる機能を複数実現することができ、低コスト・小型化と多機能化を両立することが可能である。
【図面の簡単な説明】
　【図１】
　本発明の第１の実施例における画像メモリ機能付き映像装置のブロック図
　【図２】
　本発明の第１の実施例における画像メモリ機能付き映像装置のフィールドメモリ制御の説明図
　【図３】
　本発明の第１の実施例における画像メモリ機能付き映像装置のフィールドメモリのアドレス制御の説明図
　【図４】
　本発明の第２の実施例における画像メモリ機能付き映像装置のブロック図
　【図５】
　本発明の第２の実施例における画像メモリ機能付き映像装置のフィールドメモリ制御の説明図
　【図６】
　本発明の第１の実施例における画像メモリ機能付き映像装置のフィールドメモリのアドレス制御の説明図
　【図７】
　本発明の第２の実施例における画像メモリ機能付き映像装置の電子式拡大制御回路のブロック図
　【図８】
　本発明の第３の実施例における画像メモリ機能付き映像装置のブロック図
　【図９】
　本発明の第２の実施例における画像メモリ機能付き映像装置の拡大撮像素子方式による手ぶれ補正の説明図
　【図１０】
　本発明の第３の実施例における画像メモリ機能付き映像装置のフィールドメモリ制御の説明図
　【図１１】
　本発明の第３の実施例における画像メモリ機能付き映像装置のフィールドメモリのアドレス制御の説明図
　【図１２】
　従来例のメモリ機能付き撮像装置のブロック図
　【図１３】
　従来例のメモリ機能付き撮像装置のフィールドメモリ制御の説明図
　【図１４】
　従来例のメモリ機能付き撮像装置の巡回型ノイズ低減回路の説明図
　【符号の説明】
　１０２　３ポート型のフィールドメモリ
　１０３，２０３　書き込み制御回路
　１０４　第１読み出し制御回路
　１０５　第２読み出し制御回路
　１１０　巡同型ノイズ低減回路
　１１１　電子式拡大制御回路
　１１２，２０８　補間回路
　１１３　ズーム倍率設定回路
　１１４，１１６　動き量検出回路
　１１５　加算回路
　２０２　デュアルポート型のフィールドメモリ
　２０５　読み出し制御回路
　２１０　第１の減算手段
　２１１　フィールドメモリ
　２１２　第２の減算手段
　２１３　乗算手段
　２１４　巡同型ノイズ低減回路